(57)【要約】    【課題】顧客が満足する安全な二重螺旋構造を有する、棒状化粧材繰出容器を提供する事を目的とする。    【構成】先筒と芯チャック部材は、回転止機構を構成し、芯チャック部材と中継螺旋筒は連動して螺合機構構成するとともに、本体は内筒と外筒より成り、中継螺旋筒と芯チャック部材を挿入された後に外筒は内筒と一体化され、中間螺旋筒の上昇限は、中間螺旋筒の大径部の上端部が、内筒内に螺刻された螺旋部の内突段部の下向き段部に当接して決定される。    【選択図】    図１
2008125947.tif 000002
【特許請求の範囲】
【請求項１】
棒状化粧材が進退する先端開口孔、及び棒状化粧材が摺動する内孔を有する先筒と、この先筒に軸方向に回動自在に連結された本体と、先筒内に軸方向摺動自在に収められた芯チャック部材と、この芯チャック部材の棒軸を収容し、この芯チャック部材と連動して前記先筒内を軸方向摺動自在に進退する中継螺旋筒を具備する棒状化粧材繰出容器であって、芯チャック部材は先端に棒状化粧材を保持する化粧材保持部を備え、この化粧材保持部と先筒とは同期に回動する手段がとられ、この化粧材保持部に延設される棒軸には、ストローク長の雄ネジが形成され、前記中継螺旋筒前部内径に螺刻された螺旋部に螺合するとともに、芯チャック部材の基端と中継螺旋筒との間には、繰出方向の抜け止が設けられ、本体は、外筒と、前部外周にキャップと着脱自在に嵌合する嵌合部を有し、内径にストローク長の螺旋部を螺刻した内筒より形成され、この外筒と内筒は中継螺旋筒が内筒の後部開口孔より収容されるとともに一体化され、前記中継螺旋筒は中継筒部下部に形成された大径部外周に雄ネジが螺刻され、前記内筒内の螺旋部に螺合して芯チャック部材と連動して摺動し、前記内筒内に突設された内突段部の下向き段部に、中継筒部下部の大径部の上端部が当設して繰上上昇限とする事を特徴とする、棒状化粧材繰出容器。
【発明の詳細な説明】
【技術分野】
【０００１】
本発明は口紅等の棒状化粧材繰出容器の機構に関する、特には二重螺旋構造を有する繰出長さの長い棒状化粧材繰出容器であって、摺動の安定性と容器の安全性に着目した棒状化粧材繰出容器に関する。
【背景技術】
【０００２】
二重螺旋構造の棒状化粧材繰出容器は、繰出機構の長さが短いにも関わらず、繰出し長さを長くすることができるので、比較的長い棒状化粧材を収容するための容器として用いられる。
そのような二重螺旋構造の棒状化粧材繰出容器の例として、特開平８−１１２１３９号公報や、特開平８−３２２６３８号公報が開示されている。
【０００３】
図６の（Ｈ）には、特開平８−１１２１３９号公報の化粧材繰出容器の繰出方向の上昇限を示す図２を示す図であり、同様に（Ｉ）には特開平８−３２２６３８号公報の棒状化粧材繰出容器の繰出方向の上昇限を示す図１の（Ａ）が示されている。
【０００４】
（Ｈ）の化粧材繰出容器の繰出上昇限では、芯チャック２が先筒の長穴１１と係合して回転止機構を構成し、前記芯チャック２の軸部９後部に形成した第２の突起１０が、中間軸筒６の第２の螺旋溝８に螺合するとともに、中間軸筒６の後部外周に設けた第１の突起７が軸筒４内の第１の螺旋筒５内の螺旋に螺合して二重螺旋繰出を構成している。更に、中間軸筒６後部の大径部２５が先筒１の下端面２８に当接する事で、中間軸筒６の繰出上昇限としている。
【０００５】
芯チャック２の軸部９は、中間軸筒６の第２の螺旋溝８の開放端部８ａ側より組立され、中間軸筒６は第１の螺旋筒５を有する先端にスリット３１を設けた合成樹脂の内側筒２０の前部より挿入される。
【０００６】
（Ｉ）の棒状化粧材繰出容器も、（Ｈ）の繰出容器と原理は同一であり、第１押棒４は先筒５と同期に係合し、この第１押棒４は第２押棒６の内孔４６の先端開放側より挿入され、又、第２押棒６も尾筒７のスリット５２を拡開して、尾筒７内に第２押棒６を収納する。
【０００７】
そもそも二重螺旋繰出しは、図６の（Ｈ）で説明すると、棒状化粧材が嵌入される芯チャック２(軸部９を含む)部材と、中間軸筒６の部材が連動して繰出摺動されるが、軸筒４と先筒１の回動で芯チャック２(軸部９を含む)と中間軸筒６が作動する訳だが、中間軸筒６が先に摺動し、繰上上昇限に至った後、芯チャック２が摺動するのか、芯チャック２が摺動してから中間軸筒６が後から摺動するのか、連動する動きがどちらが先か確かではない。
【０００８】
（Ｉ）の棒状化粧材繰出容器も同様に、先筒５と尾筒７の回動で第１押棒４が先に摺動し、次に第２押棒６が連動するのか、又、逆の動きをするのかは定かではない。
いずれにしろ、(Ｈ)の中間軸筒６の上昇限は中間軸筒６後部の大径部２５が先筒１の下端面２８に当接する事で決定している為、使用者が繰上の上昇限で更なる強い力で先筒１を抜け方向に強い力を与える為、容器の作動が不良状態に陥る危惧がある。
【０００９】
(Ｉ)の棒状化粧材繰出容器も、第２押棒６が尾筒７のスリット５２を拡開して、尾筒７内に第２押棒６を収容している為、上昇限で先筒５と尾筒７を強い力で繰上方向に回動すると、尾筒７先端内孔に形成した第２雌ネジと第２押棒６の表面に形成された第２雄ネジが不良係合する可能性が強い。まして第２押棒が先行して摺動する場合、第２押棒が繰上上昇限に至り、第１押棒が摺動する間、螺合力が第２押棒の第２雄ネジと、尾筒７の第２雌ネジの間に発生し繰上動作を不良とする懸念がある。
【特許文献１】特開平８−１１２１３９号公報
【特許文献２】特開平８−３２２６３８号公報
【発明の開示】
【発明が解決しようとする課題】
【００１０】
本発明は前記問題点を解決し、顧客が安心して使用できる二重螺旋構造の棒状化粧材繰出容器を提出する事を目的とする。
【課題を解決するための手段】
【００１１】
そのため、本発明の棒状化粧材繰出容器においては、棒状化粧材が進退する先端開口孔、及び棒状化粧材が摺動する内孔を有する先筒と、この先筒に軸方向に回動自在に連結された本体と、先筒内に軸方向摺動自在に収められた芯チャック部材と、この芯チャック部材の棒軸を収容し、この芯チャック部材と連動して前記先筒内を軸方向摺動自在に進退する中継螺旋筒を具備する棒状化粧材繰出容器であって、芯チャック部材は先端に棒状化粧材を保持する化粧材保持部を備え、この化粧材保持部と先筒とは同期に回動する手段がとられ、この化粧材保持部に延設される棒軸には、ストローク長の雄ネジが形成され、前記中継螺旋筒前部内径に螺刻された螺旋部に螺合するとともに、芯チャック部材の基端と中継螺旋筒との間には、繰出方向の抜け止が設けられ、本体は、外筒と、前部外周にキャップと着脱自在に嵌合する嵌合部を有し、内径にストローク長の螺旋部を螺刻した内筒より形成され、この外筒と内筒は中継螺旋筒が内筒の後部開口孔より収容されるとともに一体化され、前記中継螺旋筒は中継筒部下部に形成された大径部外周に雄ネジが螺刻され、前記内筒内の螺旋部に螺合して芯チャック部材と連動して摺動し、前記内筒内に突設された内突段部の下向き段部に、中継筒部下部の大径部の上端部が当設して繰上上昇限とする手段を講じたものである。
【発明の効果】
【００１２】
本発明の二重螺旋構造の棒状化粧材繰出容器１は、本体２が内筒２０と外筒３０より構成される。具体的には、前部外周にキャップと着脱自在に嵌合する嵌合部２８を有し、内径にストローク長の螺旋部２６を螺刻した内筒２０の後部開口孔２９より、中継螺旋筒５０を内挿し、前記中継螺旋筒５０の中継筒部５２後部に形成した大径部５３外周の雄ネジ５４を前記螺旋部２６に螺合した状態で外筒３０のローレット３２と内筒２０外周に設けた縦リブ２５を係合しつつ、係合部２４と環状凹部３１を嵌着して内筒２０と外筒３０が一体化される。その為、中継螺旋筒５０は、外筒３０の底面３３に下端部５３bを当接した位置を繰下げの下降限とするとともに、大径部５３の上端部５３aが内筒２０の内突段部２３の下向き段部２３aに当接した位置を繰上げの上昇限とする為に、特開平８−１１２１３９号公報の化粧材繰出容器の繰上上昇限や特開平８−３２２６３８号公報の繰上上昇限とは異なり、中継螺旋筒５０の上昇限が先筒１０や螺合関係に悪影響を及ぼす事が無い為、顧客に満足する容器を提供する事を可能とする。
【発明を実施するための最良の形態】
【００１３】
本発明を図により詳細に説明する。
図１は、本発明の棒状化粧材繰出容器１の縦一部断面図で、キャップ３をはずした状態を示している。
図２の（Ａ）はキャップ３を、（Ｂ）は先筒１０を示し、図３の（Ｃ）は芯チャック部材４０、（Ｄ）は中継螺旋筒５０を、（Ｅ）は内筒２０を、（Ｆ）は外筒３０を示し、図４は棒状化粧材繰出容器１を先筒１０と本体２を回動し繰出上昇限を示すもので、図５の（Ｇ）は中継螺旋筒５０の上昇限を示す図である。
【００１４】
図１の棒状化粧材繰出容器１は、キャップ３を外した状態で先筒１０、芯チャック部材４０、中継螺旋筒５０、内筒２０、外筒３０より構成される。
【００１５】
各部材を説明する。
（Ｂ）先筒１０は、棒状化粧材Ａが進退する先端開口孔１１を備えた円筒形状をなし、軸方向に摘部１７と内筒嵌入部１６より構成され、この内筒嵌入部１６には内筒２０と回動可能脱落不能に嵌合する嵌合凸部１４と、内筒２０との間にＯリングを介して回動する為のＯリング溝１５が設けられる。又、摺動貫通孔１３には、摺動溝１２が複数形成されて、芯チャック部材４８外周の突条４２と係合して回転止機構を構成する。
【００１６】
（Ｃ）芯チャック部材４０は先端に化粧材保持部４８を備え、延設される棒軸４４には整列状態で突起４５が複数設置され、中継螺旋筒５０の螺旋部５１に螺合する。突起４５は、螺旋部５１に螺合するネジ部として製作しても良い。又、棒軸４４後部にはスリットによるベンド可能な凸片４７が設けられる。化粧材保持部４８は薄膜４３で腔部４１を構成するとともに、この薄膜４３外周には複数の突条４２を突設する。
【００１７】
（Ｄ）中継螺旋筒５０は、円筒形状の中継筒部５２と下部の大径部５３より形成され、この大径部５３には内筒２０内の螺旋部２６に螺合する雄ネジ５４が設置される。内径前部には螺旋部５１が螺刻され、芯チャック部材４０の棒軸４４表面に形成された突起４５が螺合するとともに凸片４７は、この螺旋部５１をベンドして通過して、凸片上端部４７ａが螺旋部５１の下向き段部５１ａに当接する事で繰出方向の抜け止めとしている。
【００１８】
（Ｅ）の内筒２０は、前部外周にキャップ３の嵌合凹部３ａに着脱自在に嵌合する嵌合部２８を備え、前部腔部２７には先筒１０の内筒嵌入部１６を嵌入するとともに、環状凹部２１で回動可能脱落不能に先筒１０を連結する。又、内突段部２３より後部開口孔２９迄、ストローク長の螺旋部２６が螺刻される。更に、内筒２０の外周後部には縦リブ２５が突設され、フランジ２２下部には外筒３０と一体化する為の係合部２４が設けられる。
【００１９】
（Ｆ）の外筒３０は底面３３を備える円筒形状をなし、前部内径に内筒２０と嵌合する環状凹部３１を形成し、内径後部は内筒２０の縦リブ２５と係合するローレット３２を有する。
【００２０】
棒状化粧材繰出容器１は以下の手段で組みつけられる。
芯チャック部材４０の凸片４７を、中継螺旋筒５０の前部開口孔より貫通させ、棒軸４４表面の突起４５を螺旋部５１に螺合させる。芯チャック部材４０の棒軸４４を収容した中継螺旋筒５０を内筒２０内に収容する。この状態で内筒２０を外筒３０内に挿入し、ローレット３２と縦リブ２５を係合しつつ、環状凹部３１と係合部２４の嵌合で内筒と外筒を一体化する。
【００２１】
次に先筒１０の内筒嵌入部１６を、内筒の前部腔部２７に挿入してゆくが、この時、先筒１０内径の摺動溝１２と、化粧材保持部４８外周に突設された突条４２を係合しつつ、嵌合凸部１４と環状凹部２１を嵌合して、組付けが終了する。
【００２２】
図１より作動を説明する。
棒状化粧材Ａを内蔵した棒状化粧材繰出容器１を、キャップ３を本体２より取外し、先筒１０と本体２を回動すると、先筒１０と芯チャック部材４０は摺動溝１２と化粧材保持部４８外周に突設された突条４２が係合して回転止機構が構成され、芯チャック部材４０の棒軸４４表面に突設された複数の突起４５は、中継螺旋筒５０の内径前部に螺刻された螺旋部５１に螺合して、繰出機構が構成され、芯チャック部材４０は先筒１０内を繰出方向に上昇する。芯チャック部材４０の凸片４７の上端部４７ａが螺旋部５１の下向き段部５１ａに当接すると、芯チャック部材４０の繰上上昇限となり、次に中継螺旋筒５０の大径部５３に突設された雄ネジ５４が内筒２０内の螺旋部２６に螺合して、更なる繰出機構として、中継螺旋筒５０が先筒１０内を繰出方向に上昇し、内筒２０内の内突段部２３の下向き段部２３ａに大径部５３の上端部５３ａが当接する事で、中継螺旋筒５０の繰上上昇限に達する。芯チャック部材４０と中継螺旋筒５０の連動した上昇によって、長めの棒状化粧材Ａを先筒１０の先端開口孔１１より進退可能とする。
【００２３】
尚、作動の説明で芯チャック部材４０が先行して、先筒１０内を上昇し、後から中継螺旋筒５０が先筒１０内を追いかけて上昇する場合を想定して説明を行ったが、実際には、芯チャック部材４０、中継螺旋筒５０のどちらが先に上昇するかは定かではない。
【００２４】
図４は、先筒１０と本体２を回動し、棒状化粧材繰出容器１を繰上の上昇限迄繰上げた状態を示す図であるが、棒状化粧材繰出容器１の機構が見える訳ではないので、使用者は更に強い力で回動して、棒状化粧材Ａを更に上昇させようとする習性がある。
【００２５】
図５は、中継螺旋筒５０の上昇限を拡大したものであるが、中継螺旋筒５０の大径部５３の上端部５３ａが内筒２０の内突部２３の下向き段部２３ａに当接して、上昇限位置を決定している為、回動する螺合力がかかっても先筒１０や内筒２０内の螺旋部２６に影響を与える事が全くない。又、中継螺旋筒５０が先行して上昇限位置にあっても、機構に影響を与える事なく、次に芯チャック部材４０を繰上げる事ができるので、故障がなく安全な二重繰出機構を有する容器を提供できる。
【図面の簡単な説明】
【００２６】
【図１】本発明の棒状化粧材繰出容器１の縦一部断面図で、キャップ３をはずした状態を示している。
【図２】（Ａ）はキャップ３を、（Ｂ）は先筒１０を示す。
【図３】（Ｃ）は芯チャック部材４０、（Ｄ）は中継螺旋筒５０を、（Ｅ）は内筒２０を、（Ｆ）は外筒３０を示す。
【図４】先筒１０と本体２を回動し、棒状化粧材繰出容器１の繰出上昇限を示す。
【図５】（Ｇ）は、中継螺旋筒５０の上昇限の状態を拡大したものである。
【図６】従来例を示した図である。
【符号の説明】
【００２７】
Ａ・・・・棒状化粧材
１・・・・棒状化粧材繰出容器
２・・・・本体
３・・・・キャップ
３ａ・・・嵌合凹部
１０・・・先筒
１１・・・先端開口孔
１２・・・摺動溝
１３・・・摺動貫通孔
１５・・・Ｏリング溝
１６・・・内筒嵌入部
１７・・・摘部
２０・・・内筒
２１・・・環状凹部
２２・・・フランジ
２３・・・内突段部
２３ａ・・下向き段部
２４・・・係合部
２５・・・縦リブ
２６・・・螺旋部
２７・・・前部腔部
２８・・・嵌合部
２９・・・後部開口孔
３０・・・外筒
３１・・・環状凹部
３２・・・ローレット
３３・・・底面
４０・・・芯チャック部材
４１・・・腔部
４２・・・突条
４３・・・薄膜
４４・・・棒軸
４５・・・突起
４６・・・スリット
４７・・・凸片
４７ａ・・上端部
４８・・・化粧材保持部
５０・・・中継筒螺旋筒
５１・・・螺旋部
５１ａ・・下向き段部
５２・・・中継螺旋筒
５３・・・大径部
５３ａ・・上端部
５３ｂ・・下端部
５４・・・雄ネジ
【図１】
2008125947.tif 000003
【図２】
2008125947.tif 000004
【図３】
2008125947.tif 000005
【図４】
2008125947.tif 000006
【図５】
2008125947.tif 000007
【図６】
2008125947.tif 000008